(57)【要約】  【課題】  切替スイッチと検査端子との接続構成を変更して１つの検査端子で足りるようにして部品配置の設計の困難性を除いた通信装置を提供する。  【解決手段】  第１切替スイッチ４を介して第１アンテナ２と信号分離合成回路１０に切替接続される第１信号処理回路６、第２切替スイッチ５を介して第２アンテナ３と信号分離合成回路１０に切替接続される第２信号処理回路７を備え、信号分離合成回路１０の第１、第２端子のいずれか一方または双方に接続されたアイソレーション調整回路が設け、アイソレーション調整回路は、第１及び第２切替スイッチ４、５を信号分離合成回路１０に切替接続した際の第１及び第２切替スイッチ４、５間のアイソレーションと、第１及び第２切替スイッチ４、５を第１及び第２アンテナ２、３側に切替接続した際の第１及び第２切替スイッチ４、５間のアイソレーションを等しくするように調整される。  【選択図】  図１
2006345179.tif 000002
【特許請求の範囲】
【請求項１】
第１切替スイッチを介して第１アンテナと分離合成回路とに切替接続される第１信号処理回路と、第２切替スイッチを介して第２アンテナと前記分離合成回路とに切替接続される第２信号処理回路とを備え、前記分離合成回路は、前記第１の切替スイッチに接続された第１端子と前記第２の切替スイッチに接続された第２端子と検査端子に接続された共通端子とを有し、前記第１、第２及び共通端子のいずれか１つまたは２つの端子に接続された調整可能なアイソレーション調整回路が結合され、前記アイソレーション調整回路は、前記第１切替スイッチ及び前記第２切替スイッチをそれぞれ前記分離合成回路側に切替接続した際の前記第１及び第２切替スイッチ間のアイソレーションと、前記第１切替スイッチ及び前記第２切替スイッチを前記第１アンテナと前記第２アンテナ側に切替接続した際の前記第１及び第２切替スイッチ間のアイソレーションとが等しくなるように調整されることを特徴とする検査端子を有する通信装置。
【請求項２】
前記アイソレーション調整回路は、前記分離合成回路の前記第１端子と前記第２端子との間に接続されたコンデンサからなることを特徴とする請求項１に記載の検査端子を有する通信装置。
【請求項３】
前記アイソレーション調整回路は、前記分離合成回路の前記第１端子及び前記第２端子にそれぞれ接続された第１及び第２抵抗減衰回路からなることを特徴とする請求項１に記載の検査端子を有する通信装置。
【請求項４】
前記分離合成回路は、ウイルキンソン型分配器によって構成されていることを特徴とする請求項１に記載の検査端子を有する通信装置。
【発明の詳細な説明】
【技術分野】
【０００１】
本発明は、検査端子を有する通信装置に係り、特に、２つの信号伝送系統を備えるデユアルバンド通信装置において２つの信号伝送系統にそれぞれ異なる外部アンテナに接続する際に使用される２つの検査端子を１つの検査端子に構成変更した検査端子を有する通信装置に関する。
【背景技術】
【０００２】
一般に、携帯電話等に用いられる２つの信号伝送系統を有するデユアルバンド通信装置においては、２つの信号伝送系統にそれぞれ内部アンテナが実装され、通常の信号送受信時にはこれらの内部アンテナが使用されている。また、最近になって、２つの信号伝送系統にそれぞれ用いるアンテナとして、内部アンテナと外部アンテナとを切替えて使用できるデユアルバンド通信装置、すなわち、２つの信号伝送系統にそれぞれ接続された１回路２接点の切替スイッチにより内部アンテナと外部アンテナとの使用を切替えることができるデユアルバンド通信装置が提案されている。
【０００３】
ここで、図６は、かかる内部アンテナと外部アンテナとを切替えて使用できるデユアルバンド通信装置の要部構成の一例を示すブロック図であって、例えば、特開２００３−１８８７５９号公報に開示された通信装置に係るものである。
【０００４】
図６に示されるように、この通信装置３１は、第１内部アンテナ３２と、第２内部アンテナ３３と、第１切替スイッチ３４と、第２切替スイッチ３５と、第１信号処理回路３６と、第２信号処理回路３７と、第１信号端子３８と、第２信号端子３９と、第１検査端子４０と、第２検査端子４１とを備え、第１内部アンテナ３２、第１切替スイッチ３４、第１信号処理回路３６、第１信号端子３８、第１検査端子４０からなる構成部分がデユアルバンドにおける一方の信号伝送系統を構成し、第２内部アンテナ３３、第２切替スイッチ３５、第２信号処理回路３７、第２信号端子３９、第２検査端子４１からなる構成部分がデユアルバンドにおける他方の信号伝送系統を構成している。
【０００５】
また、通信装置３１の外部には、第１検査端子４０に一端が接続された同軸ケーブル４２及びその同軸ケーブル４２の他端に接続された第１外部アンテナ４４と、第２検査端子４１に一端が接続された同軸ケーブル４３及びその同軸ケーブル４３の他端に接続された第２外部アンテナ４５とを備え、場合によっては、同軸ケーブル４２、４３の各他端に第１外部アンテナ４３及び第２外部アンテナ４４の代わりに無線機テスター４６が接続される。
【０００６】
そして、第１切替スイッチ３４は、第１端子が第１内部アンテナ３２に接続され、第２端子が第１検査端子４０に接続され、可動端子が第１信号処理回路３６の一端に接続される。第１信号処理回路３６は、他端が第１信号端子３８に接続される。同じように、第２切替スイッチ３５は、第１端子が第２内部アンテナ３３に接続され、第２端子が第２検査端子４１に接続され、可動端子が第２信号処理回路３７の一端に接続される。第２信号処理回路３７は、他端が第２信号端子３９に接続される。
【０００７】
前記構成による通信装置３１の動作について説明する。ただし、この説明においては、通信装置３１は、一方の信号伝送系統が信号送信系統を構成し、他方の信号伝送系統が信号受信系統を構成している場合について説明する。
【０００８】
通信装置３１における通常動作時には、第１切替スイッチ３４の可動接点が第１端子側に切替接続され、第２切替スイッチ３５の可動接点も第１端子側に切替接続されている。このとき、第１信号端子３８を通して送信データ信号が第１信号処理回路３６に供給されると、第１信号処理回路３６は、そのデータ信号によって搬送波信号を変調し、送信用高周波信号を発生する。この送信用高周波信号は、第１切替スイッチ３４を通して第１内部アンテナ３２に供給され、第１内部アンテナ３２から電波として送信される。一方、第２内部アンテナ３３で受信電波が捕捉されると、その受信電波は受信用高周波信号として第２内部アンテナ３３から第２切替スイッチ３５を通して第２信号処理回路３７に供給される。第２信号処理回路３７は、供給された受信用高周波信号を復調し、受信データ信号を発生し、得られた受信データ信号は第２信号端子３９を通して利用回路（図６に図示なし）に供給される。
【０００９】
また、通信装置３１における一方及び他方の信号伝送系統が外部アンテナ４４、４５を使用する必要が生じると、第１切替スイッチ３４の可動接点が第２端子側に切替接続され、第２切替スイッチ３５の可動接点も第２端子側に切替接続される。このときも、第１信号端子３８を通して送信データ信号が第１信号処理回路３６に供給されると、第１信号処理回路３６は、そのデータ信号によって搬送波信号を変調し、送信用高周波信号を発生する。この送信用高周波信号は、第１切替スイッチ３４と第１検査端子４０及び同軸ケーブル４２とを通して第１外部アンテナ４４に供給され、第１外部アンテナ４４から電波として送信される。一方、第２外部アンテナ４５で受信電波が捕捉されると、その受信電波は受信用高周波信号として第２内部アンテナ３３から同軸ケーブル４３及び第２検査端子４１と第２切替スイッチ３５とを通して第２信号処理回路３７に供給される。第２信号処理回路３７は、供給された受信用高周波信号を復調し、受信データ信号を発生し、得られた受信データ信号は第２信号端子３９を通して利用回路（図６に図示なし）に供給される。この場合、外部アンテナ４５、４６の使用への切替は、前述のように一方及び他方の信号伝送系統を同時に切替えるようにしてもよいが、一方の信号伝送系統だけを切替えてもよく、他方の信号伝送系統だけを切替えてもよい。
【００１０】
また、図６の点線によって示すように、通信装置３１に無線機テスター４６を接続した場合は、第１切替スイッチ３４の可動接点及び第２切替スイッチ３５の可動接点を同時にそれらの第２端子側に切替接続する。通信装置３１に無線機テスター４６を接続した場合、一方の信号伝送系統における送信用高周波信号の送信状態や他方の信号伝送系統における受信用高周波信号の受信状態がこの無線機テスター４５によって検査することができる。
【特許文献１】特開２００３−１８８７５９号公報
【発明の開示】
【発明が解決しようとする課題】
【００１１】
前記特開２００３−１８８７５９号公報に開示された通信装置は、第１切替スイッチ３４及び第２切替スイッチ３５の可動接点をそれぞれ第１端子側に切替接続したとき、第１及び第２内部アンテナ３２、３３を用いた高周波信号の送受信が行われ、また、第１切替スイッチ３４及び第２切替スイッチ３５の可動接点をそれぞれ第２端子側に切替接続すれば、第１及び第２外部アンテナ４４、４５を用いた高周波信号の送受信が行われ、送受信電波の状態に応じて適切なアンテナの選択が可能になるものであるが、第１及び第２外部アンテナ４４、４５の接続のために、第１検査端子４０と第２検査端子４１とを設ける必要があるため、その分、端末における部品配置の設計が難しくなっている。また、実際に使用時は、第１及び第２外部アンテナ４４、４５間の結合が性能に影響を与えるが、検査端子を使用しての測定時には結合が生じないため、実際の使用状態に近い条件での検査が難しくなっている。
【００１２】
本発明は、このような技術的背景に鑑みてなされたもので、その目的は、切替スイッチと検査端子との接続部分の構成を変更して１つの検査端子を設ければ足りるようにし、端末における部品配置の設計の困難性を排除した検査端子を有する通信装置を提供することにある。
【課題を解決するための手段】
【００１３】
前記目的を達成するために、本発明による検査端子を有する通信装置は、第１切替スイッチを介して第１アンテナと信号分離合成回路とに切替接続される第１信号処理回路と、第２切替スイッチを介して第２アンテナと信号分離合成回路とに切替接続される第２信号処理回路とを備え、信号分離合成回路は、第１の切替スイッチに接続された第１端子と第２の切替スイッチに接続された第２端子と検査端子に接続された共通端子とを有し、第１、第２及び共通端子のいずれか１つまたは２つの端子に接続された調整可能なアイソレーション調整回路が結合され、アイソレーション調整回路は、第１切替スイッチ及び第２切替スイッチをそれぞれ信号分離合成回路側に切替接続した際の第１及び第２切替スイッチ間のアイソレーションと、第１切替スイッチ及び第２切替スイッチを第１アンテナと第２アンテナ側に切替接続した際の第１及び第２切替スイッチ間のアイソレーションとが等しくなるように調整される手段を具備する。
【００１４】
前記手段において、アイソレーション調整回路は、信号分離合成回路の第１端子と第２端子との間に接続されたコンデンサからなる第１の構成手段を具備する。
【００１５】
前記手段において、アイソレーション調整回路は、信号分離合成回路の第１端子及び第２端子にそれぞれ接続された第１及び第２抵抗減衰回路からなる第２の構成手段を具備する。
【００１６】
前記手段において、信号分離合成回路は、ウイルキンソン型分配器によって構成される第３の構成手段を具備する。
【発明の効果】
【００１７】
以上のように、この発明による検査端子を有する通信装置によれば、第１信号処理回路を第１切替スイッチを介して第１アンテナと分離合成回路とに切替接続できるように、第２信号処理回路を第２切替スイッチを介して第２アンテナと信号分離合成回路とに切替接続できるようにし、信号分離合成回路に調整可能なアイソレーション調整回路を結合させ、そのアイソレーション調整回路により、第１切替スイッチ及び第２切替スイッチをそれぞれ信号分離合成回路側に切替接続した際の第１及び第２切替スイッチ間のアイソレーションと、第１切替スイッチ，及び第２切替スイッチを第１アンテナと第２アンテナ側に切替接続した際の第１及び第２切替スイッチ間のアイソレーションとが等しくなるようにしているので、検査端子を１つ設ければ足りるだけでなく、２つの検査端子を設けた場合困難な実際の使用条件に近い状態で検査することができ、端末における部品配置の設計の困難性を排除できるという効果がある。
【発明を実施するための最良の形態】
【００１８】
以下、本発明の実施の形態を図面を参照して説明する。
【００１９】
図１は、本発明による検査端子を有する通信装置の第１の実施の形態に係るもので、その要部構成を示すブロック図である。
【００２０】
図１に示されるように、この検査端子を有する通信装置１は、第１内部アンテナ２と、第２内部アンテナ３と、第１切替スイッチ４と、第２切替スイッチ５と、第１信号処理回路６と、第２信号処理回路７と、第１信号端子８と、第２信号端子９と、信号分離合成回路１０と、検査端子１１とを備え、第１内部アンテナ２、第１切替スイッチ４、第１信号処理回路６、第１信号端子８からなる構成部分がデユアルバンドにおける一方の信号伝送系統を構成し、第２内部アンテナ３、第２切替スイッチ５、第２信号処理回路７、第２信号端子９からなる構成部分がデユアルバンドにおける他方の信号伝送系統を構成している。
【００２１】
また、通信装置１の外部には、検査端子１１に一端が接続された同軸ケーブル１２と、その同軸ケーブル１２の他端に接続された無線機テスター１３とが設けられている。
【００２２】
この場合、第１切替スイッチ４は、第１端子４1 と第２端子４2 と可動端子４3 とを備える１回路２接点のスイッチであり、第２切替スイッチ４も、第１端子５1 と第２端子５2 と可動端子５3 とを備える１回路２接点のスイッチである。また、信号分離合成回路１０は、第１端子１０1 と第２端子１０2 と共通端子１０3 とを備え、第１端子１０1 に供給された信号は共通端子１０3 から出力され、共通端子１０3 に供給された信号は第２端子１０2 から出力されるように動作するものである。
【００２３】
そして、第１切替スイッチ４は、第１端子４1 が第１内部アンテナ２に接続され、第２端子４2 が信号分離合成回路１０の第１端子１０1 に接続され、可動端子４3 が第１信号処理回路６の一端に接続される。第１信号処理回路６は、他端が第１信号端子８に接続される。第２切替スイッチ５は、第１端子５1 が第２内部アンテナ３に接続され、第２端子５2 が信号分離合成回路１０の第２端子１０2 に接続され、可動端子５3 が第２信号処理回路６の一端に接続される。第２信号処理回路７は、他端が第２信号端子９に接続される。信号分離合成回路１０は、共通端子１０3 が検査端子１１に接続される。
【００２４】
前記構成による通信装置１の動作について説明する。ただし、この説明においても、通信装置１は、一方の信号伝送系統が信号送信系統を構成し、他方の信号伝送系統が信号受信系統を構成している場合について説明する。
【００２５】
通信装置１における通常動作時には、第１切替スイッチ４の可動接点が第１端子４1 側に切替接続され、第２切替スイッチ５の可動接点も第１端子５1 側に切替接続される。このとき、第１信号端子８を通して送信データ信号が第１信号処理回路６に供給されると、第１信号処理回路６は、そのデータ信号によって搬送波信号を変調し、送信用高周波信号を発生する。この送信用高周波信号は、第１切替スイッチ４を通して第１内部アンテナ２に供給され、第１内部アンテナ２から電波として送信される。一方、第２内部アンテナ３で受信電波が捕捉されると、その受信電波は受信用高周波信号として第２内部アンテナ３から第２切替スイッチ５を通して第２信号処理回路７に供給される。第２信号処理回路７は、供給された受信用高周波信号を復調し、受信データ信号を発生し、得られた受信データ信号は第２信号端子９を通して利用回路（図１に図示なし）に供給される。
【００２６】
また、通信装置１における一方及び他方の信号伝送系統に無線機テスター１３を使用する必要が生じると、第１切替スイッチ４の可動接点が第２端子４2 側に切替接続され、第２切替スイッチ５の可動接点も第２端子５2 側に切替接続される。このときも、第１信号端子８を通して送信データ信号が第１信号処理回路６に供給されると、第１信号処理回路６は、そのデータ信号によって搬送波信号を変調し、送信用高周波信号を発生する。この送信用高周波信号は、可動接点が第２端子４2 側に切替接続された第１切替スイッチ４を通り、信号分離合成回路１０の第１端子１０1 から共通端子１０3 を経て検査端子１０に供給され、次いで同軸ケーブル１２とを通して無線機テスター１３に供給される。一方、無線機テスター１３から受信用高周波信号に相当する信号が出力されると、その受信用高周波信号は、同軸ケーブル１２及び検査端子１１を経て信号分離合成回路１０の共通端子１０3 に供給され、次いで信号分離合成回路１０の共通端子１０3 から第２端子１０2 を通り、可動接点が第２端子５2 側に切替接続された第２切替スイッチ５を通して第２信号処理回路７に供給される。第２信号処理回路７は、供給された受信用高周波信号を復調し、受信データ信号を発生し、得られた受信データ信号は第２信号端子９を通して図示されない利用回路に供給される。
【００２７】
このように通信装置１に無線機テスター１３を接続した場合、一方の信号伝送系統における送信用高周波信号の送信状態や他方の信号伝送系統における受信用高周波信号の受信状態が無線機テスター１３によって検査することができ、その場合に、通信装置１は、１つの検査端子１１を有するだけであり、検査端子１１と無線機テスター１３とを接続する同軸ケーブル１２も１本で足りるので、端末に接続される外部機器の配線状態が簡素化される。
【００２８】
次に、図２は、本発明による検査端子を有する通信装置の第２の実施の形態に係るもので、その要部構成を示すブロック図である。
【００２９】
この第２の実施の形態による検査端子を有する通信装置と前述の第１の実施の形態による検査端子を有する通信装置との構成の違いは、第１の実施の形態において用いられている信号分離合成回路１０に代えて、信号分離合成回路１０とほぼ同等の機能を有するサーキュレータ１４を用いている点で異なっているだけで、それ以外の構成には変わりがない。なお、図２において、図１に図示された構成要素と同じ構成要素については同じ符号を付け、それらの構成要素についての説明は省略する。
【００３０】
この第２の実施の形態による検査端子を有する通信装置の動作は、信号分離合成回路１０の機能とサーキュレータ１４の機能とがほぼ同等であるので、当該動作は既に述べた第１の実施の形態による検査端子を有する通信装置の動作と同じである。このため、第２の実施の形態による検査端子を有する通信装置の動作については、これ以上の動作説明を省略する。
【００３１】
ところで、図１及び図２にはそれぞれ図示されていないが、前述の第１の実施の形態及び第２の実施の形態による検査端子を有する通信装置においては、信号分離合成回路１０またはサーキュレータ１４に調整可能なアイソレーション調整回路が接続されている。
【００３２】
図３は、信号分離合成回路１０に調整可能なアイソレーション調整回路を接続した際の一つの例を示す回路構成図であって、信号分離合成回路１０にコンデンサ１５を接続した例を示すものである。
【００３３】
図３において、１５はコンデンサであって、信号分離合成回路１０の第１端子１０1 と第２端子１０2 との間に接続されている。なお、図３において、図１に図示された構成要素と同じ構成要素については同じ符号を付けている。
【００３４】
図３に図示の例は、第１切替スイッチ４及び第２切替スイッチ５の可動接点をそれぞれ第２端子４2 、５2 側に切替接続した際に、信号分離合成回路１０の第１端子１０1 と第２端子１０2 との間のアイソレーションが、第１切替スイッチ４及び第２切替スイッチ５の可動接点をそれぞれ第１端子４1 、５1 側に切替接続した際に、第１内部アンテナ２と第２内部アンテナ３との間のアイソレーションよりも高い場合に使用されるもので、コンデンサ１５の容量を調整することにより、信号分離合成回路１０の第１端子１０1 と第２端子１０2 との間のアイソレーションを第１内部アンテナ２と第２内部アンテナ３との間のアイソレーションに等しくなるようにしているものである。
【００３５】
また、図４は、信号分離合成回路１０に調整可能なアイソレーション調整回路を接続した際の他の例を示す回路構成図であって、信号分離合成回路１０に抵抗減衰器１６、１７を接続した例を示すものである。
【００３６】
図４において、１６は第１抵抗減衰器、１７は第２抵抗減衰器であって、第１抵抗減衰器１６は合成・分配器１０の第１端子１０1 と第１切替スイッチ４の第２端子４2 との間に接続され、第２抵抗減衰器１７は合成・分配器１０の第２端子１０2 と第２切替スイッチ５の第２端子５2 との間に接続されている。なお、図４において、図１に図示された構成要素と同じ構成要素については同じ符号を付けている。
【００３７】
図４に図示の例は、第１切替スイッチ４及び第２切替スイッチ５の可動接点をそれぞれ第２端子４2 、５2 側に切替接続した際に、信号分離合成回路１０の第１端子１０1 と第２端子１０2 との間のアイソレーションが、第１切替スイッチ４及び第２切替スイッチ５の可動接点をそれぞれ第１端子４1 、５1 側に切替接続した際に、第１内部アンテナ２と第２内部アンテナ３との間のアイソレーションよりも低い場合に使用されるもので、第１抵抗減衰器１６及び第２抵抗減衰器１７の各減衰量を調整することにより、信号分離合成回路１０の第１端子１０1 と第２端子１０2 との間のアイソレーションを第１内部アンテナ２と第２内部アンテナ３との間のアイソレーションに等しくなるようにしているものである。
【００３８】
さらに、図５は、調整可能なアイソレーション調整回路を含んだ信号分離合成回路の一つの例を示す回路構成図であって、信号分離合成回路１０にウイルキンソン型分配器１８を用いた例を示すものである。
【００３９】
図５において、１８はウイルキンソン型分配器であり、このウイルキンソン型分配器１８は、インピーダンス変換用第１伝送線路１９とインピーダンス変換用第２伝送線路２０と負荷抵抗２１とからなり、第１伝送線路１９は第１端子１８1 と第２端子１８2 との間に接続され、第２伝送線路２０は第１端子１８1 と第３端子１８3 との間に接続され、負荷抵抗２１は第２端子１８2 と第３端子１８3 との間に接続されている。この場合、第１伝送線路１９及び第２伝送線路２０の長さを、それぞれ使用される高周波信号波長の１／４になるように選ぶと、第１端子１８1 、第２端子１８2 及び第３端子１８3 からウイルキンソン型分配器１８の内部を見たときのインピーダンスがそれぞれ外部回路のインピーダンス、例えば５０Ωに等しくなる。
【００４０】
このウイルキンソン型分配器１８の動作は、第２端子１８2 に高周波信号が入力されると、その高周波信号の半分が第１端子１８1 に伝送されて第１端子１８1 から出力され、高周波信号の残りの半分が負荷抵抗２１で消費され、第３端子１８3 から出力されない。この場合、第１端子１８1 から反射した極く一部の高周波信号と、負荷抵抗２１で消費しきれない極く一部の高周波信号とが第３端子１８3 に供給されるが、これら第３端子１８3 に供給される２つの高周波信号は位相が逆相になるので、互いに打ち消し合って第３端子１８3 から出力されない。
【００４１】
このように、本発明による検査端子を有する通信装置によれば、アイソレーション調整回路により、第１切替スイッチ４及び第２切替スイッチ５をそれぞれ信号分離合成回路１０側に切替接続した際の第１及び第２切替スイッチ間のアイソレーションと、第１切替スイッチ及び第２切替スイッチを第１アンテナと第２アンテナ側に切替接続した際の第１及び第２切替スイッチ間のアイソレーションとが等しくなるようにしているので、検査端子を１つ設ければ足りるだけでなく、１つの検査端子を設けても、２つの検査端子を設けた場合と同等の結果を得ることができ、端末における部品配置の設計の困難性を排除できる。
【００４２】
前記各実施の形態においては、一方の信号伝送系統が信号送信系統を構成し、他方の信号伝送系統が信号受信系統を構成している場合について説明したが、一方の信号伝送系統が信号受信系統を構成し、他方の信号伝送系統が信号送信系統を構成するようにしてもよく、一方及び他方の信号伝送系統がともに信号受信系統であってもよく、一方及び他方の信号伝送系統がともに信号送信系統であってもよい。さらに、一方及び他方の信号伝送系統がともに信号送受信系統であっても、一方及び他方の信号伝送系統のいずれかが信号送受信系統であり、残りの信号伝送系統が信号送信系統または信号受信系統であってもよい。
【図面の簡単な説明】
【００４３】
【図１】本発明による検査端子を有する通信装置の第１の実施の形態に係るもので、その要部構成を示すブロック図である。
【図２】本発明による検査端子を有する通信装置の第２の実施の形態に係るもので、その要部構成を示すブロック図である。
【図３】信号分離合成回路に調整可能なアイソレーション調整回路を接続した際の一つの例を示す回路構成図である。
【図４】信号分離合成回路に調整可能なアイソレーション調整回路を接続した際の他の例を示す回路構成図である。
【図５】調整可能なアイソレーション調整回路を含んだ信号分離合成回路の一つの例を示す回路構成図である。
【図６】内部アンテナと外部アンテナとを切替えて使用できるデユアルバンド通信装置の要部構成の一例を示すブロック図である。
【符号の説明】
【００４４】
１  通信装置
２  第１内部アンテナ
３  第２内部アンテナ
４  第１切替スイッチ
５  第２切替スイッチ
６  第１信号処理回路
７  第２信号処理回路
８  第１信号端子
９  第２信号端子
１０  信号分離合成回路
１１  検査端子
１２  同軸ケーブル
１３  無線機テスター
１４  サーキュレータ
１５  コンデンサ
１６  第１抵抗減衰器
１７  第２抵抗減衰器
１８  ウイルキンソン型分配器
【図１】
2006345179.tif 000003
【図２】
2006345179.tif 000004
【図３】
2006345179.tif 000005
【図４】
2006345179.tif 000006
【図５】
2006345179.tif 000007
【図６】
2006345179.tif 000008